(57)【要約】【課題】ＡＬＣパネルやその周囲を濡らさないように、切り粉の飛散を抑制できるパネルの切断方法を提供する。【解決手段】ＡＬＣパネル１の切断予定部Ａの表面に粘性を有する液体１０を塗布し、その後電動鋸１２により切断予定部Ａを切断する。切断予定部Ａの表面に加え、裏面にも粘性を有する液体１０を塗布してもよい。また、電動鋸１２によりＡＬＣパネル１の切断予定部Ａを切断する際に、ＡＬＣパネル１１の表層部に切り溝Ｂを形成し、その後切断を中断し、切り溝Ｂに粘性を有する液体１０を注入し、その後切断を再開してもよい。【選択図】図３
2013238069.tif 000002
【特許請求の範囲】
【請求項１】
建物用パネルの切断予定部の表面に粘性を有する液体を塗布し、その後鋸により前記切断予定部を切断する、建物用パネルの切断方法。
【請求項２】
前記切断予定部の表面に加え、裏面にも粘性を有する液体を塗布する、請求項１に記載の建物用パネルの切断方法。
【請求項３】
前記鋸により前記パネルの切断予定部を切断する際に、前記パネルに切り溝を形成し、その後切断を中断し、前記切り溝に粘性を有する液体を注入し、その後切断を再開する、請求項１又は２に記載の建物用パネルの切断方法。
【請求項４】
前記切断予定部に粘性を有する液体を供給しながら、前記鋸により前記切断予定部を切断する、請求項１又は２に記載の建物用パネルの切断方法。
【請求項５】
前記パネルは、軽量発泡コンクリートである、請求項１〜４に記載の建物用パネルの切断方法。
【発明の詳細な説明】
【技術分野】
【０００１】
本発明は、建物用パネルの切断方法に関する。
【背景技術】
【０００２】
例えば鉄骨造建物の建築工事において、床や壁を構成するＡＬＣ（軽量発泡コンクリート）パネルなどの建物用パネルの一部が建物の柱などと干渉する場合、建築現場において、電動のレシプロソーなどの鋸を用いて、パネルを部分的に切断加工することが行われている。この切断加工の際に、パネルの切り粉が風に舞って飛散して、建築現場や近隣を汚すことがある。特に、高速で刃が動く電動鋸を使用する場合には、より多くの切り粉が飛散し、その対策が必要である。なお、電動丸鋸を示す文献として、特許文献１がある。
【０００３】
このようなパネルの切り粉の飛散を抑制するため、パネルやその周囲に予め水を散布することが行われている。
【先行技術文献】
【特許文献】
【０００４】
【特許文献１】特開平５−３１７０１号公報
【発明の概要】
【発明が解決しようとする課題】
【０００５】
しかしながら、水を散布する場合、パネル全体が濡れるので、その後乾燥に時間がかかり、その分パネルの加工及び設置作業に時間がかかる。特にＡＬＣパネルの場合は、内部に水が浸透するので、飛散防止のための水が大量に必要で、その分乾燥にも時間がかかる。さらに、散水作業を行う建築現場の床面や地面が濡れるので、養生が必要となる。
【０００６】
本発明はかかる点に鑑みてなされたものであり、ＡＬＣパネルなどの建物用パネルやその周囲を濡らさないように、切り粉の飛散を抑制できる建物用パネルの切断方法を提供することをその目的とする。
【課題を解決するための手段】
【０００７】
上記目的を達成するための本発明は、建物用パネルの切断予定部の表面に粘性を有する液体を塗布し、その後鋸により前記切断予定部を切断する、建物用パネルの切断方法である。
【０００８】
本発明によれば、パネルの切断予定部の表面に塗布された、粘性を有する液体に切り粉が吸着するので、切り粉の飛散を抑制できる。また、パネルの切断予定部にのみ、粘性を有する液体が塗布されるので、従来のようにパネル全体やその周囲が濡れることを防止できる。
【０００９】
前記切断予定部の表面に加え、裏面にも前記液体を塗布するようにしてもよい。かかる場合、パネルの裏面側から切り粉が飛散することも抑制できる。
【００１０】
前記鋸により前記パネルの切断予定部を切断する際に、前記パネルに切り溝を形成し、その後切断を中断し、前記切り溝に粘性を有する液体を注入し、その後切断を再開するようにしてもよい。かかる場合、粘性を有する液体に切り粉がより効果的に吸着され、切り粉の飛散をさらに抑制できる。
【００１１】
前記切断予定部に粘性を有する液体を供給しながら、前記鋸により前記切断予定部を切断するようにしてもよい。かかる場合、粘性を有する液体に切り粉がより効果的に吸着され、切り粉の飛散をさらに抑制できる。
【００１２】
前記パネルは、軽量発泡コンクリートであってもよい。軽量発泡コンクリートは、切断時に切り粉が飛散しやすいものであるため、本発明のように切断予定部に粘性を有する液体を塗布する効果は大きい。
【発明の効果】
【００１３】
本発明によれば、パネルやその周囲を極力濡らすことなく切り粉の飛散を抑制できるので、パネルを乾燥させる手間や時間が不要となり、建築現場の養生も不要となる。従って、建築コストの低減や建築工期の短縮を図ることができる。
【図面の簡単な説明】
【００１４】
【図１】ＡＬＣパネルの切断予定部を示す説明図である。
【図２】ＡＬＣパネルの切断予定部に粘性を有する液体を塗布している状態を示すパネルの断面図である。
【図３】液体が塗布されたＡＬＣパネルの切断予定部を示す説明図である。
【図４】電動鋸で切断予定部を切断している状態を示すパネルの断面図である。
【図５】切断予定部の裏面に液体を塗布している状態を示すパネルの断面図である。
【図６】切り溝を形成している状態を示すパネルの断面図である。
【図７】切り溝に液体を注入している状態を示すパネルの断面図である。
【図８】切断予定部を切断しながら液体を供給している状態を示すパネルの断面図である。
【発明を実施するための形態】
【００１５】
以下、図面を参照して、本発明に係るパネルの切断方法の好ましい実施の形態について説明する。なお、本明細書及び図面において、実質的に同一の機能構成を有する構成要素については、同一の符号を付することにより重複説明を省略する。
【００１６】
先ず、例えば図１に示すように、部分的な切断が必要な建物用パネルとしてのＡＬＣパネル１が用意される。図１に示すＡＬＣパネル１は、例えば柱と干渉する隅角部が切断されるもので、Ｌ字状の切断予定部Ａを有している。
【００１７】
次に、例えば図２に示すように、粘性を有する液体１０を収容したノズル付の容器１１が用意される。液体１０には、例えば水に粘性を持たせる増粘剤を添加したもの（ジェル状のもの）が用いられる。増粘剤には、例えばキサンタンガム、グアーガム、カラギーナン、ローカストビーンガムなど水溶性の増粘剤を用いてもよく、特にキサンタンガムが望ましい。また、キサンタンガムを用いる場合は、例えば水１００ｃｃに対してキサンタンガム０．５〜１ｇ程度を添加するのが望ましい。容器１１には、例えば胴部を押して中身を吐出させるものであって、吐出口が比較的小さなノズル付のボトル（油差し、液状調味料用の容器などを転用してもよい）を用いる。
【００１８】
次に、ＡＬＣパネル１を水平に寝かせた状態で、容器１１からＡＬＣパネル１の切断予定部Ａの表面に液体１０が塗布される。図３に示すように液体１０は、Ｌ字状の切断予定部Ａに沿って塗布される。
【００１９】
その後、図４に示すようにレシプロソー、セーバーソーなどの電動鋸１２が用意され、ＡＬＣパネル１の切断予定部Ａが切断される。
【００２０】
本実施の形態によれば、ＡＬＣパネル１を切断する際に、切断予定部Ａの表面の粘性を有する液体１０に切り粉が吸着するので、切り粉の飛散が抑制される。また、ＡＬＣパネル１の切断予定部Ａにのみ液体１０が塗布されるので、従来のようにパネル全体やその周囲が濡れることを防止できる。これにより、従来のような濡れたＡＬＣパネル１を乾燥させる手間や時間が不要となり、建築現場の養生も不要となる。従って、建築コストの低減や建築工期の短縮を図ることができる。
【００２１】
特にＡＬＣパネル１の場合、通常の建物用パネルに比べて切り粉が飛散しやすく、従来は切り粉の飛散を防止するための水の散布を大量に行う必要があり、パネルやその周囲がひどく濡れることが多かった。このため、ＡＬＣパネル１の場合、本実施の形態のように液体１０を切断予定部Ａにのみ塗布して切り粉の飛散を抑制するメリットは大きい。
【００２２】
上記実施の形態において、図５に示すように切断予定部Ａの表面に加え、裏面にも粘性を有する液体１０を塗布するようにしてもよい。かかる場合、ＡＬＣパネル１の裏面側から切り粉が飛散することを抑制できる。
【００２３】
また、上記実施の形態においてＡＬＣパネル１の切断の際に、粘性を有する液体１０を切断予定部Ａにさらに供給してもよい。例えば図６に示すように、電動鋸１２により切断予定部Ａの表層部に切り溝Ｂを形成し、その後電動鋸１２による切断を中断し、図７に示すように容器１１により切り溝Ｂに液体１０を注入し、その後電動鋸１２による切断を再開するようにしてもよい。かかる場合、切り粉が液体１０により効果的に吸着され、切り粉の飛散をさらに抑制できる。
【００２４】
また、図８に示すように容器１１により、粘性を有する液体１０を切断予定部Ａに供給しながら、電動鋸１２により切断予定部Ａを切断するようにしてもよい。かかる場合も、切り粉が液体１０により効果的に吸着され、切り粉の飛散をさらに抑制できる。
【００２５】
以上、添付図面を参照しながら本発明の好適な実施の形態について説明したが、本発明はかかる例に限定されない。当業者であれば、特許請求の範囲に記載された思想の範疇内において、各種の変更例または修正例に想到し得ることは明らかであり、それらについても当然に本発明の技術的範囲に属するものと了解される。
【００２６】
例えば以上の実施の形態において、液体１０は、容器１１により切断予定部Ａに塗布されていたが、刷毛などにより塗布されてもよい。また、電動鋸１２により切断予定部Ａが切断されていたが、本発明は、手動の鋸を用いて切断予定部Ａを切断する場合にも適用できる。さらに、本発明は、ＡＬＣパネル１の隅角部以外の部分を切断する場合にも適用でき、切断予定部Ａの形も任意に選択できる。また、本発明は、ＡＬＣパネル以外の建物用パネルを切断する際にも適用できる。
【産業上の利用可能性】
【００２７】
本発明は、建物用パネルやその周囲を濡らさないように、パネル切断時の切り粉の飛散を抑制する際に有用である。
【符号の説明】
【００２８】
１  ＡＬＣパネル
１０  液体
１１  容器
１２  電動鋸
Ａ  切断予定部
Ｂ  切り溝
【図１】
2013238069.tif 000003
【図２】
2013238069.tif 000004
【図３】
2013238069.tif 000005
【図４】
2013238069.tif 000006
【図５】
2013238069.tif 000007
【図６】
2013238069.tif 000008
【図７】
2013238069.tif 000009
【図８】
2013238069.tif 000010